(57)【要約】【課題】維持放電電圧が低く、且つ輝度傾斜や輝度低下が抑制されたＰＤＰを低コストに提供する。【解決手段】表示電極対４０を備える第１の基板１と、データ電極８と、このデータ電極８を覆う絶縁体層７上に設けられた隔壁９と、を備える第２の基板６と、を、表示電極対４０とデータ電極８とが交差するように、放電空間１１を挟んで対向配置することで放電セル１２を形成したＰＤＰであって、走査電極４からは、データ電極８と平行する方向の隔壁９上に沿って、維持電極５に向かって第１の放電電極１３が突出するように付設され、且つ向かい合う隔壁９上に沿っても、維持電極５から走査電極４に向かって第２の放電電極１４が突出するように付設され、且つ、データ電極８と第１の放電電極１３との距離が放電セル１２によって異なるように、第１の放電電極１３とデータ電極８とを付設した、ことを特徴とする。【選択図】図１
2010176933.tif 000002
【特許請求の範囲】
【請求項１】
走査電極と維持電極とからなる複数の表示電極対を備える第１の基板と、
複数のデータ電極と、このデータ電極を覆う絶縁体層と、隣り合うデータ電極間の前記絶縁体層上に設けられた、データ電極と平行する部分を備える隔壁と、を備える第２の基板と、を、
表示電極対とデータ電極とが交差するように、放電空間を挟んで対向配置することで、表示電極対とデータ電極とが交差する領域の放電空間に放電セルを形成したプラズマディスプレイパネルであって、
走査電極からは、データ電極と平行する方向の隔壁上に沿って、維持電極に向かって第１の放電電極が突出するように付設され、
さらに、同一放電セルにおいて、向かい合うもう一方の隔壁上に沿っても、維持電極から走査電極に向かって第２の放電電極が突出するように付設され、
且つ、データ電極と第１の放電電極との距離が放電セルによって異なるように、第１の放電電極とデータ電極とを付設した、
ことを特徴とするプラズマディスプレイパネル。
【発明の詳細な説明】
【技術分野】
【０００１】
本発明は、テレビ受像機および広告表示盤等の画像表示に用いるプラズマディスプレイパネルに関するものである。
【背景技術】
【０００２】
従来のＡＣ型プラズマディスプレイパネル（以下、ＰＤＰという）の要部構造を図３に示す。
【０００３】
図３において、第１の基板１上には、誘電体層２および保護層３で覆われた複数の走査電極４と維持電極５とからなる表示電極対が配置されている。走査電極４は透明電極４ａおよび金属母線４ｂから構成され、維持電極５は透明電極５ａと金属母線５ｂから構成されている。
【０００４】
第２の基板６上には、絶縁体層７で覆われた複数のデータ電極８が形成され、隣り合うデータ電極８間の絶縁体層７上には、データ電極８と平行して複数の隔壁９が形成され、この隔壁９間の隔壁９側面および絶縁体層７の表面には蛍光体層１０が形成されている。
【０００５】
そして、走査電極４および維持電極５と、データ電極８とが交差するように、第１の基板１と第２の基板６とが放電空間１１を挟んで対向して配置されている。
【０００６】
放電空間１１には、放電ガスとして、ヘリウム、ネオン、アルゴン、キセノンの内の一種またはそれらの混合ガスが封入されている。また、隔壁９間の絶縁体層７の表面には、赤色、緑色、青色に発光する蛍光体層１０Ｒ、１０Ｇ、１０Ｂが順次、配置され、この蛍光体層１０Ｒ、１０Ｇ、１０Ｂの１組で１つの画素を構成しカラー表示が行われる。
【０００７】
図４に概略構成を平面図で示すように、一対の走査電極４および維持電極５とデータ電極８とが交差する領域の放電空間１１が放電セル１２を構成している。
【０００８】
図５は、このＰＤＰの電極配列を模式的に示す図である。行方向にｎ本の走査電極ＳＣ１〜ＳＣｎ（図３の走査電極４）およびｎ本の維持電極ＳＵｌ〜ＳＵｎ（図３の維持電極５）が配列され、列方向にｍ本のデータ電極Ｄ１〜Ｄｍ（図３のデータ電極８）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている（特許文献１参照）。
【特許文献１】特開２００３−１３１５８０号公報
【発明の開示】
【発明が解決しようとする課題】
【０００９】
従来のＰＤＰでは、維持放電電圧を下げるために透明電極４ａ、５ａを用いて走査電極４と維持電極５との間隔を狭めようとすると、透明電極４ａ、５ａに用いられるＩＴＯは母線電極４ｂ、５ｂに用いられる銀などに比べて比抵抗が大きく電圧降下（傾斜）が発生しやすいこと、および、基板１に用いられるガラスよりも透過率が低く遮光してしまうこと、等から、走査電極４・維持電極５の長手方向に発生する輝度傾斜、および、全体的に発生する輝度低下が顕著になるという課題が発生してしまう場合があった。
【００１０】
また透明電極４ａ、５ａに用いられるＩＴＯは、コスト面にも課題があった。
【００１１】
本発明はこのような現状に鑑みなされたもので、輝度傾斜や輝度低下が抑制されたＰＤＰを低コストに提供することを目的とするものである。
【課題を解決するための手段】
【００１２】
上記目的を実現するために本発明のＰＤＰは、走査電極と維持電極とからなる複数の表示電極対を備える第１の基板と、複数のデータ電極と、このデータ電極を覆う絶縁体層と、隣り合うデータ電極間の前記絶縁体層上に設けられた、データ電極と平行する部分を備える隔壁と、を備える第２の基板と、を、表示電極対とデータ電極とが交差するように、放電空間を挟んで対向配置することで、表示電極対とデータ電極とが交差する領域の放電空間に放電セルを形成したプラズマディスプレイパネルであって、走査電極からは、データ電極と平行する方向の隔壁上に沿って、維持電極に向かって第１の放電電極が突出するように付設され、さらに、同一放電セルにおいて、向かい合うもう一方の隔壁上に沿っても、維持電極から走査電極に向かって第２の放電電極が突出するように付設され、且つ、データ電極と第１の放電電極との距離が放電セルによって異なるように、第１の放電電極とデータ電極とを付設した、ことを特徴とするものである。
【発明の効果】
【００１３】
本発明によれば、電圧降下や輝度低下が抑制されたＰＤＰを低コストに提供することが可能となる。
【発明を実施するための最良の形態】
【００１４】
以下、本発明の一実施の形態によるＰＤＰについて、図を用いて説明するが、本発明の実施の態様はこれに限定されるものではない。なお、図３〜図５を用いて説明した構成要素と共通するものには同じ符号を付している。
【００１５】
図１は、本発明の一実施の形態によるＰＤＰにおける放電セル１２の概略構成を示す平面図、図２は、図１におけるＡ−Ａ矢視断面図である。
【００１６】
第１の基板１上には、誘電体層２および保護層３で覆われた複数の、銀などの金属材料により形成される、走査電極４と維持電極５とからなる表示電極対４０が配置されている。
【００１７】
第２の基板６上には、絶縁体層７で覆われた複数のデータ電極８が形成され、隣り合うデータ電極８間の絶縁体層７上には、データ電極８と平行する部分を備える隔壁９が形成され、この隔壁９間の隔壁９側面および絶縁体層７の表面には、赤色、緑色、青色それぞれに発光する蛍光体層１０（１０Ｒ、１０Ｇ、１０Ｂ）が形成されている。
【００１８】
そして、表示電極対４０（走査電極４および維持電極５）とデータ電極８とが交差するように、第１の基板１と第２の基板６とが放電空間１１を挟んで対向するように配置され、表示電極対４０とデータ電極８とが交差する領域の放電空間１１が放電セル１２として構成される。
【００１９】
ここで、走査電極４からは、データ電極８と平行する方向の隔壁９上に沿って、維持電極５に向かって第１の放電電極１３が突出するように付設され、さらに、同一放電セル１２の向かい合うもう一方の隔壁９上に沿っても、維持電極５から走査電極４に向かって第２の放電電極１４が突出するように付設されている。
【００２０】
上述したような構成によれば、維持放電は、第１の放電電極１３と第２の放電電極１４との間で発生することとなり、従来の構造に比べ放電距離を短くできることから、従来に比べ、維持放電電圧を低くすることが可能となる。
【００２１】
また、走査電極４から突出した第１の放電電極１３とデータ電極８とは、近づけるほど書き込み電圧が下がり、遠ざけるほど書き込み電圧が上がる。したがって放電セル１２に応じて、すなわち例えば、赤・緑・青の放電セル毎に、データ電極８と放電電極１３との距離：Ｄｌ〜Ｄ３が異なるように、第１の放電電極１３とデータ電極８とを付設することにより、放電セル１２のディメンジョンや蛍光体層１０Ｒ、１０Ｇ、１０Ｂの特性などに起因する放電セル１２毎の書き込み電圧のばらつきを低減することが可能となり、駆動マージンを広げることができる。
【００２２】
また、第１の放電電極１３、第２の放電電極１４は、隔壁９上に沿って付設されていることから、第１の放電電極１３、第２の放電電極１４が、遮光性の高い、銀などの金属材料により形成されるものであって、付設しない場合に比べて、輝度の低下が顕著になるという課題の発生は低減されることとなる。
【００２３】
なお、維持放電電圧は、第１の放電電極１３と第２の放電電極１４との間隔以外にも、自身の長さや幅を調整することで制御が可能となる。
【００２４】
以上、本発明のＰＤＰによれば、高価であるにもかかわらず、電圧降下や輝度低下といった課題を招いてしまう蓋然性の高い透明電極を使用することなく、維持放電電圧を低電圧に制御することができ、かつ、データ電極との相対位置を制御することで放電セル毎に書き込み電圧を制御することもでき、もって、駆動マージンの広いＰＤＰを安価に提供することができる。
【産業上の利用可能性】
【００２５】
以上のように本発明は、大画面、高精細のＰＤＰを提供する上で有用な発明である。
【図面の簡単な説明】
【００２６】
【図１】本発明の一実施の形態によるＰＤＰにおける放電セル１２の概略構成を示す平面図
【図２】図１におけるＡ−Ａ矢視断面図
【図３】従来のＡＣ型プラズマディスプレイパネル（以下、ＰＤＰという）の要部構造を示す図
【図４】従来のプラズマディスプレイパネルの放電セルの概略構成を示す平面図
【図５】従来のプラズマディスプレイパネルの電極配列を模式的に示す図
【符号の説明】
【００２７】
１  第１の基板
２  誘電体層
３  保護層
４  走査電極
５  維持電極
６  第２の基板
７  絶縁体層
８  データ電極
９  隔壁
１０  蛍光体層
１０Ｒ  赤色蛍光体層
１０Ｇ  緑色蛍光体層
１０Ｂ  青色蛍光体層
１１  放電空間
１２  放電セル
１３  第１の放電電極
１４  第２の放電電極
４０  表示電極対
【図１】
2010176933.tif 000003
【図２】
2010176933.tif 000004
【図３】
2010176933.tif 000005
【図４】
2010176933.tif 000006
【図５】
2010176933.tif 000007